(57)【要約】【課題】  定量化情報を臨床診断で活用しやすいよう提示する。【解決手段】画像取込処理部１０により取り込まれた病理組織画像から解析対象領域における類洞領域を類洞領域抽出処理部２１０により抽出するとともに、間質領域抽出処理部２２０上記解析対象領域における間質領域を抽出し、抽出された類洞領域及び間質領域以外の領域を上記解析対象領域における細胞索領域として細胞索抽出処理部２３０により上記病理組織画像から抽出し、細胞索毎に病理特徴量を定量化処理部２４０により定量化する。【選択図】        図３
2014134517.tif 000002
【特許請求の範囲】
【請求項１】
解析対象物を撮像して得られた病理組織画像を取り込む画像取込処理ステップと、
取り込まれた病理組織画像から解析対象領域において細胞が存在しない領域を抽出する空白領域抽出処理ステップと、
上記病理組織画像から解析対象領域における間質領域を抽出する間質領域抽出処理ステップと、
抽出された上記空白領域及び上記間質領域以外の領域を上記解析対象領域における実質細胞領域として上記病理組織画像から抽出する実質細胞領域抽出処理ステップと、
上記実質細胞領域として抽出された実質細胞の集合体毎に病理特徴量を数値化する定量化処理ステップと
を有する病理組織画像解析方法。
【請求項２】
さらに、上記定量化処理ステップにおいて数値化された病理特徴量を表示する表示ステップを有することを特徴とする請求項１記載の病理組織画像解析方法。
【請求項３】
上記表示ステップでは、上記実質細胞の集合体毎に数値化された病理特徴量を用いて、病変の状態を表す指標又はラベルを表示することを特徴とする請求項２記載の病理組織画像解析方法。
【請求項４】
さらに、上記病理組織画像中の注目するべき領域を表すマスク情報を生成する注目領域マスク生成ステップを有し、
上記表示ステップでは、上記実質細胞の集合体毎に数値化された病理特徴量を用いて、注目領域マスク内での特徴量の統計値を表示することを特徴とする請求項２記載の病理組織画像解析方法。
【請求項５】
上記定量化処理ステップでは、上記実質細胞の集合体として、一定長さ以下の細胞の連なりを単位として病理特徴量を数値化することを特徴とする請求項１記載の病理組織画像解析方法。
【請求項６】
上記定量化処理ステップでは、上記実質細胞の集合体として、細胞の連なりの分岐を境界とした単位に基づいて病理特徴量を数値化することを特徴とする請求項１記載の病理組織画像解析方法。
【請求項７】
上記実質細胞の集合体毎に数値化された病理特徴量を、集合体ごとに付与されたラベル情報とともに保存する保存ステップを有することを特徴とする請求項１記載の病理組織画像解析方法。
【請求項８】
上記病理組織画像は、染色処理の施された肝細胞の画像であることを特徴とする請求項１乃至請求項７の何れか１項記載の病理組織画像解析方法。
【請求項９】
上記空白領域抽出処理ステップとして、取り込まれた病理組織画像から解析対象領域における類洞領域を抽出する類洞領域抽出処理ステップを有し、
上記実質細胞領域抽出処理ステップでは、抽出された上記類洞領域及び上記間質領域以外の領域を上記解析対象領域における実質細胞領域として上記病理組織画像から抽出し、
上記定量化処理ステップでは、上記実質細胞領域として抽出された細胞索毎に病理特徴量を定量化することを特徴とする請求項８記載の病理組織画像解析方法。
【請求項１０】
上記類洞領域抽出処理ステップは、
上記解析対象領域の病理組織画像について方位選択フィルタによる境界強調処理を行う境界強調処理ステップと、
上記境界強調処理が施された上記解析対象領域の病理組織画像についてクラスタリングによる類洞領域抽出処理を行うクラスタリング処理ステップと、
抽出された類洞領域について、サポートベクターマシン（SVM:Support Vector Machine）による誤抽出領域削減処理を行う誤抽出領域削減処理ステップと
を有することを特徴とする請求項９記載の病理組織画像解析方法。
【請求項１１】
上記間質領域抽出処理ステップは、
上記解析対象領域の病理組織画像について、テクスチャ特徴による線維確率算出処理を行う線維確率算出処理ステップと、
上記解析対象領域の病理組織画像について、色のよく似た領域にクラスタリングするスーパーピクセル化処理を行うスーパーピクセル化処理ステップと、
スーパーピクセル毎に平均線維確率を算出して線維確率の高いスーパーピクセルを間質として抽出する第１の間質抽出処理ステップと、
リンパ球の多いスーパーピクセルを間質として抽出する第２の間質抽出処理ステップと
を有することを特徴とする請求項９又は請求項１０の何れか１項記載の病理組織画像解析方法。
【請求項１２】
上記定量化処理ステップでは、上記実質細胞領域抽出処理ステップにおいて抽出された実質細胞領域の病理組織画像について、上記実質細胞領域の閉領域図形の中心線に沿った幅を計測し、定量化した病理特徴量として出力する距離計測処理を行うことを特徴とする請求項９乃至請求項１１の何れか１項記載の病理組織画像解析方法。
【請求項１３】
上記定量化処理ステップは、
上記実質細胞領域抽出処理ステップにおいて抽出された実質細胞領域の病理組織画像について、上記実質細胞領域の中心線を求めることにより細線化する細線化処理ステップと、
細線化された上記実質細胞領域の分岐から分岐までを枝とし、枝単位で上記実質細胞領域を分類する細胞索分類処理ステップと、
分類された上記枝単位の実質細胞領域の病理組織画像について、実質細胞領域の中心線から境界までの距離を計測し、定量化した病理特徴量として出力する距離計測処理ステップと
を有することを特徴とする請求項１２項記載の病理組織画像解析方法。
【請求項１４】
上記定量化処理ステップでは、病理特徴量としてさらに細胞索毎の核密度又は索毎のＮＣ比の平均を算出して出力することを特徴とする請求項１３記載の病理組織画像解析方法。
【請求項１５】
解析対象物を撮像して得られた病理組織画像を取り込む画像取込処理部と、
上記画像取込処理部により取り込まれた病理組織画像から解析対象領域において細胞が存在しない領域を抽出する空白領域抽出処理部と、
上記病理組織画像から解析対象領域における間質領域を抽出する間質領域抽出処理部と、
上記間質領域抽出処理部により抽出された空白領域及び上記間質領域抽出処理部により抽出された間質領域以外の領域を上記解析対象領域における実質細胞領域として上記病理組織画像から抽出する実質細胞領域抽出処理部と、
上記実質細胞領域抽出処理部により実質細胞領域として抽出された実質細胞の集合体毎に病理特徴量を数値化する定量化処理部と
を備える病理組織画像解析装置。
【請求項１６】
さらに、上記定量化処理部により数値化された病理特徴量を表示する表示部を備えることを特徴とする請求項１５記載の病理組織画像解析装置。
【請求項１７】
上記定量化処理部は、上記実質細胞の集合体毎に数値化された病理特徴量を用いて、病変の状態を表す指標又はラベルを上記表示部により表示することを特徴とする請求項１６記載の病理組織画像解析装置。
【請求項１８】
上記定量化処理部は、上記病理組織画像中の注目するべき領域を表すマスク情報を生成し、上記実質細胞の集合体毎に数値化された病理特徴量を用いて、注目領域マスク内での特徴量の統計値を上記表示部により表示することを特徴とする請求項１６記載の病理組織画像解析装置。
【請求項１９】
上記定量化処理部は、上記実質細胞の集合体として、一定長さ以下の細胞の連なりを単位として病理特徴量を数値化することを特徴とする請求項１５記載の病理組織画像解析装置。
【請求項２０】
上記定量化処理部は、上記実質細胞の集合体として、細胞の連なりの分岐を境界とした単位に基づいて病理特徴量を数値化することを特徴とする請求項１５記載の病理組織画像解析装置。
【請求項２１】
さらに、上記実質細胞の集合体毎に数値化された病理特徴量を、集合体ごとに付与されたラベル情報とともに保存する情報保存部を備えることを特徴とする請求項１５記載の病理組織画像解析装置。
【請求項２２】
上記病理組織画像は、染色処理の施された肝細胞の画像であることを特徴とする請求項１５乃至請求項２１の何れか１項記載の病理組織画像解析装置。
【請求項２３】
上記空白領域抽出処理部は、取り込まれた病理組織画像から解析対象領域における類洞領域を抽出する類洞領域抽出処理部であり、
上記実質細胞領域抽出処理部では、上記類洞領域抽出処理部により抽出された上記類洞領域及び上記間質領域以外の領域を上記解析対象領域における実質細胞領域として上記病理組織画像から抽出し、
上記定量化処理部では、上記実質細胞領域抽出処理部により実質細胞領域として抽出された細胞索毎に病理特徴量を定量化することを特徴とする請求項２２記載の病理組織画像解析装置。
【請求項２４】
上記類洞領域抽出処理部は、
上記解析対象領域の病理組織画像について方位選択フィルタによる境界強調処理を行う境界強調処理部と、
上記境界強調処理部により境界強調処理が施された上記解析対象領域の病理組織画像についてクラスタリングによる類洞領域抽出処理を行うクラスタリング処理部と、
上記クラスタリング処理部により抽出された類洞領域について、サポートベクターマシン（SVM:Support Vector Machine）による誤抽出領域削減処理を行う誤抽出領域削減処理ステップと
を備えることを特徴とする請求項２３記載の病理組織画像解析装置。
【請求項２５】
上記間質領域抽出処理部は、
上記解析対象領域の病理組織画像について、テクスチャ特徴による線維確率算出処理を行う線維確率算出処理部と、
上記解析対象領域の病理組織画像について、色のよく似た領域にクラスタリングするスーパーピクセル化処理を行うスーパーピクセル化処理部と、
スーパーピクセル毎に平均線維確率を算出して線維確率の高いスーパーピクセルを間質として抽出する第１の間質抽出処理部と、
リンパ球の多いスーパーピクセルを間質として抽出する第２の間質抽出処理部と
を備えることを特徴とする請求項２３又は請求項２４の何れか１項記載の病理組織画像解析装置。
【請求項２６】
上記定量化処理部では、上記実質細胞領域抽出処理部により抽出された実質細胞領域の病理組織画像について、上記実質細胞領域の閉領域図形の中心線に沿った幅を計測し、定量化した病理特徴量として出力する距離計測処理を行うことを特徴とする請求項２３乃至請求項２５の何れか１項記載の病理組織画像解析装置。
【請求項２７】
上記定量化処理部は、
上記実質細胞領域抽出処理部により抽出された実質細胞領域の病理組織画像について、上記実質細胞領域の中心線を求めることにより細線化する細線化処理部と、
細線化された上記実質細胞領域の分岐から分岐までを枝とし、枝単位で上記実質細胞領域を分類する細胞索分類処理部と、
上記細胞索分類処理部により分類された上記枝単位の実質細胞領域の病理組織画像について、上記実質細胞領域の中心線から境界までの距離を計測し、定量化した病理特徴量として出力する距離計測処理部と
を備えることを特徴とする請求項２６項記載の病理組織画像解析装置。
【請求項２８】
上記定量化処理部では、病理特徴量としてさらに細胞索毎の核密度又は索毎のＮＣ比の平均を算出して出力することを特徴とする請求項２７記載の病理組織画像解析装置。
【請求項２９】
解析対象物を撮像して得られた病理組織画像の解析を行う病理組織画像解析装置に備えられるコンピュータにより実行される病理組織画像解析プログラムであって、
取り込まれた病理組織画像から解析対象領域において細胞が存在しない領域を抽出する空白領域抽出処理部と、
上記病理組織画像から解析対象領域における間質領域を抽出する間質領域抽出処理部と、
上記間質領域抽出処理部により抽出された空白領域及び上記間質領域抽出処理部により抽出された間質領域以外の領域を上記解析対象領域における実質細胞領域として上記病理組織画像から抽出する実質細胞領域抽出処理部と、
上記実質細胞領域抽出処理部により実質細胞領域として抽出された実質細胞の集合体毎に病理特徴量を数値化する定量化処理部と
して上記コンピュータを機能させることを特徴とする病理画像解析プログラム。
【請求項３０】
さらに、上記定量化処理部により数値化された病理特徴量を表示部に表示することを特徴とする請求項２９記載の病理画像解析プログラム。
【請求項３１】
上記定量化処理部は、上記実質細胞の集合体毎に数値化された病理特徴量を用いて、病変の状態を表す指標又はラベルを上記表示部により表示することを特徴とする請求項３０記載の病理画像解析プログラム。
【請求項３２】
上記定量化処理部は、上記病理組織画像中の注目するべき領域を表すマスク情報を生成し、上記実質細胞の集合体毎に数値化された病理特徴量を用いて、注目領域マスク内での特徴量の統計値を上記表示部により表示することを特徴とする請求項３０記載の病理画像解析プログラム。
【請求項３３】
上記定量化処理部は、上記実質細胞の集合体として、一定長さ以下の細胞の連なりを単位として病理特徴量を数値化することを特徴とする請求項２９記載の病理画像解析プログラム。
【請求項３４】
上記定量化処理部は、上記実質細胞の集合体として、細胞の連なりの分岐を境界とした単位に基づいて病理特徴量を数値化することを特徴とする請求項２９記載の病理画像解析プログラム。
【請求項３５】
さらに、上記実質細胞の集合体毎に数値化された病理特徴量を、集合体ごとに付与されたラベル情報とともに情報保存部に保存することを特徴とする請求項２９記載の病理画像解析プログラム。
【請求項３６】
上記病理組織画像は、染色処理の施された肝細胞の画像であることを特徴とする請求項２９乃至請求項３５の何れか１項記載の病理画像解析プログラム。
【請求項３７】
上記空白領域抽出処理部は、取り込まれた病理組織画像から解析対象領域における類洞領域を抽出する類洞領域抽出処理部であり、
上記実質細胞領域抽出処理部では、上記類洞領域抽出処理部により抽出された上記類洞領域及び上記間質領域以外の領域を上記解析対象領域における実質細胞領域として上記病理組織画像から抽出し、
上記定量化処理部では、上記実質細胞領域抽出処理部により実質細胞領域として抽出された細胞索毎に病理特徴量を定量化することを特徴とする請求項３６記載の病理画像解析プログラム。
【請求項３８】
上記類洞領域抽出処理部は、
上記解析対象領域の病理組織画像について方位選択フィルタによる境界強調処理を行う境界強調処理部と、
上記境界強調処理部により境界強調処理が施された上記解析対象領域の病理組織画像についてクラスタリングによる類洞領域抽出処理を行うクラスタリング処理部と、
上記クラスタリング処理部により抽出された類洞領域について、サポートベクターマシン（SVM:Support Vector Machine）による誤抽出領域削減処理を行う誤抽出領域削減処理ステップと
を備える類洞領域抽出処理部として上記コンピュータを機能させることを特徴とする請求項３７記載の病理画像解析プログラム。
【請求項３９】
上記解析対象領域の病理組織画像について、テクスチャ特徴による線維確率算出処理を行う線維確率算出処理部と、
上記解析対象領域の病理組織画像について、色のよく似た領域にクラスタリングするスーパーピクセル化処理を行うスーパーピクセル化処理部と、
スーパーピクセル毎に平均線維確率を算出して線維確率の高いスーパーピクセルを間質として抽出する第１の間質抽出処理部と、
リンパ球の多いスーパーピクセルを間質として抽出する第２の間質抽出処理部と
を備える間質領域抽出処理部として上記コンピュータを機能させることを特徴とする請求項３７又は請求項３８の何れか１項記載の病理画像解析プログラム。
【請求項４０】
上記定量化処理部では、上記実質細胞領域抽出処理部により抽出された実質細胞領域の病理組織画像について、上記実質細胞領域の閉領域図形の中心線に沿った幅を計測し、定量化した病理特徴量として出力する距離計測処理を行うことを特徴とする請求項３７乃至請求項３９の何れか１項記載の病理画像解析プログラム。
【請求項４１】
上記実質細胞領域抽出処理部により抽出された実質細胞領域の病理組織画像について、上記実質細胞領域の中心線を求めることにより細線化する細線化処理部と、
細線化された上記実質細胞領域の分岐から分岐までを枝とし、枝単位で上記実質細胞領域を分類する細胞索分類処理部と、
上記細胞索分類処理部により分類された上記枝単位の実質細胞領域の病理組織画像について、上記実質細胞領域の中心線から境界までの距離を計測し、定量化した病理特徴量として出力する距離計測処理部と
を備える定量化処理部として上記コンピュータを機能させることを特徴とする請求項４０記載の病理組織画像解析プログラム。
【請求項４２】
上記定量化処理部では、病理特徴量としてさらに細胞索毎の核密度又は索毎のＮＣ比の平均を算出して出力することを特徴とする請求項４１記載の病理画像解析プログラム。
【発明の詳細な説明】
【技術分野】
【０００１】
本発明は、病理組織画像診断を支援する病理組織画像解析方法、病理組織画像解析装置及び病理組織画像解析プログラムに関する。
【背景技術】
【０００２】
医療分野において、病理診断の１つとして、患者から臓器の一部を検体として採取し、これを厚さ数ミクロン程度に薄切りした組織切片ガラススライド標本（プレパラート）にして顕微鏡下で観察し、細胞の核の大きさや形の変化、組織としてのパターンの変化等の形態学的な情報、染色情報をもとに診断を行う生検組織診断が知られている。この場合、薄切りされた標本は、光を殆ど吸収および散乱せず無色透明に近いため、観察に先立って色素による染色を施すのが一般的である。
【０００３】
病理スライドを顕微鏡で観察して、肉眼診断所見も加味した上で病変部の診断を行う病理診断自体は医師が行う必要があり、そのための作業量は膨大で、医師の負担は重い。そこで、診断のための観察作業を効率よく行い医師の負担を軽減するために、コンピュータシステムによる画像処理技術を利用した種々のコンピュータ診断支援装置（以下、CAD：Computer-Aided Diagnosisという。）の開発が行われている。
【０００４】
例えば、図３５に示す肝病理画像は、術中迅速診断、肝線維化の進行度推定、生検によって得られた組織からの肝細胞癌、病理解剖など様々な場面でゴールデンスタンダードとして活用されている。加えて、近年病理画像の電子化が進み仮想的に倍率を自由に変更しながら標本を観察できるホールスライドイメージ(WSI：Whole Slide Image)が普及しつつある。デジタル顕微鏡を用いて病理ガラス標本全体を撮影したWSIは、遠隔診断、教育、プレゼンテーションなど様々な状況で普及しつつある。これに対して、デジタル化した病理画像を用いたＣＡＤへの期待が高まっている。
【０００５】
従来、例えばヘマトキシリン・エオジン(HE)染色された病理画像のコンピュータ診断支援に関する従来法として、例えば、癌などの注目領域を検出するシステム(例えば、特許文献１、特許文献２参照）や、細胞核領域、細胞質領域、および腺腔領域のそれぞれの形状の特徴を示す基本特徴量を計測し対象領域の抽出と情報提示するシステム(例えば、特許文献３、特許文献４参照）などが提案されている。
【０００６】
また、例えば、特許文献５では、低倍率の病理画像から腺管領域を抽出し、腺管領域から腺管構造に関する特徴量を計算し、病状の診断、判定を行うシステムが提案されている。この特許文献５の開示技術では、腺管領域を抽出し、距離変換画像から腺管の距離を算出する際に、腺管を細線化し、中心線から境界までの距離を半径とみなして２倍することで厚さを算出している。
【０００７】
また、特許文献６では、複数の自動しきい値選定法を組み合わせて得られた複数の候補値の中から、ニューラルネットワークにて最適の値を決定してしきい値とし、そのしきい値を用いて画像の二値化を行ったうえで画像解析するシステムが提案されている。この特許文献６の開示技術では、MIB-1画像において複数の方法で2値化のための最適な閾値を算出し、細胞核を抽出しlabeling indexなどを自動算出している。
また、非特許文献１では、肝病理標本画像から主に細胞核を中心とした特徴量を算出し、エドモンソングレードの推定を行っている。
【０００８】
さらに、肝細胞病理画像からの類洞抽出法として、輝度勾配に合わせてフィルタを選択的に畳み込むことで類洞の部分的な途切れを接続し抽出する方法が非特許文献２に開示されている。
【先行技術文献】
【特許文献】
【０００９】
【特許文献１】特開２０１１−２１５０６１号公報
【特許文献２】特開２０１２−１７９３３６号公報
【特許文献３】特開２００９−１８０５３９号公報
【特許文献４】特開２００９−１１５５９８号公報
【特許文献５】特開２００９−２２９２０３号公報
【特許文献６】特開２００４−１９９３９１号公報
【非特許文献】
【００１０】
【非特許文献１】P. Huang and Y. Lai, “Effective segmentation and classification for hcc biopsy images,” Pattern Recogni-tion 43(4), pp. 1550-1563, 2010.
【非特許文献２】M. Ishikawa, A. S. Taha, F. Kimura, M. Yamaguchi, H. Nagahashi, A. Hashiguchi, M. Sakamoto, “An Orientation Selective Filter Based Approach to Extract Sinusoids from HE-Stained Liver Specimens,” IEICE technical report, 111(389), 77-157 (2012) (Japanese).
【非特許文献３】Radhakrishna Achanta, Appu Shaji, Kevin Smith, Aurelien Lucchi, Pascal Fua, and Sabine Susstrunk, SLIC Superpixels Compared to State-of-the-art Superpixel Methods, accepted to the IEEE Transactions on Pattern Analysis and Machine Intelligence, May 2012．
【非特許文献４】F．Tomoya, Y. Masahiro, M. Yuri, K． Fumikazu, H． Akinori, S． Michiie, and O． Nagaaki，“Calculation quantitative feature amount in digital slide image of pathological specimen，”IEICE technical report Japanease， 2011．
【非特許文献５】Tomoharu Kiyuna, Akira Saito, Atsushi Marugame, Yoshiko Yamashita, Maki Ogura, NEC Corp. (Japan); Eric Cosatto, NEC Labs. America, Inc. (United States); Tokiya Abe, Akinori Hashiguchi, Michiie Sakamoto, Keio Univ. (Japan), “Automatic classification of hepatocellular carcinoma images based on nuclear and structural features ”, SPIE Medical Imaging 2013, 2.2013.
【発明の概要】
【発明が解決しようとする課題】
【００１１】
しかしながら、上記特許文献１乃至４の開示技術の主な目的は、いずれも、注目する領域を抽出し医師に提示することで注意喚起することである。また、特許文献１の開示技術は、対象を腺管としており、対象となる病理画像は胃癌、乳癌、前立腺癌であり肝癌を対象とはしていない。基本的に腺管は環状で抽出され個別に評価することが可能である。細胞索は、連続性を持ちそれを細線化結果のラベル単位で定量化する本手法と目的が異なる。
【００１２】
病理画像の計数化は特殊染色などですでに取り組まれている課題でもある。例えば、特殊染色のki67では陽性核が茶色、陰性核が青色に染色されるため陽性核の比率を実際にカウントしてlabeling indexを算出する。例えば特許文献６に開示されているように、Labeling indexは、特殊染色によって陽性核を茶色に染め数を数えるためコンピュータ診断支援との親和性が高く研究が進んでいる
【００１３】
しかし、肝臓の病理画像ではlabeling indexの様に一つの指標で診断はされず、ＮＣ比(細胞核と細胞質の比率)や細胞核の大きさ、細胞索の構造など様々な構造を加味して診断される。
【００１４】
上記特許文献１などの開示技術では、病理画像を一定の範囲で区切って評価するが、類洞や間質などを含み索状構造を有する肝臓の病理画像に対しては十分に構造を考慮しているとは言えない。
【００１５】
そこで、本発明の目的は、上述の如き従来の実情に鑑み、定量化情報を臨床診断で活用しやすいよう提示することのできる病理組織画像解析方法、病理組織画像解析装置及び病理組織画像解析プログラムを提供し、病理画像の診断支援を実現することにある。
【００１６】
特に、肝臓のＨＥ染色病理画像において複雑な構造である索状構造を解析して定量化することで、定量的病理診断を可能とすることのできる定量化情報を臨床診断で活用しやすいよう提示することのできる病理組織画像解析方法、病理組織画像解析装置及び病理組織画像解析プログラムを提供し、病理画像の診断支援を実現することにある。
【００１７】
本発明の更に他の目的、本発明によって得られる具体的な利点は、以下に説明される実施の形態の説明から一層明らかにされる。
【課題を解決するための手段】
【００１８】
本発明では、解析対象物を撮像して得られた病理組織画像から解析対象領域において細胞が存在しない領域と間質領域を抽出することで、上記空白領域及び上記間質領域以外の領域を上記解析対象領域における実質細胞領域として抽出し、上記実質細胞領域として抽出された実質細胞の集合体毎に病理特徴量を数値化する。
【００１９】
すなわち、本発明は、病理組織画像解析方法であって、解析対象物を撮像して得られた病理組織画像を取り込む画像取込処理ステップと、取り込まれた病理組織画像から解析対象領域において細胞が存在しない領域を抽出する空白領域抽出処理ステップと、上記病理組織画像から解析対象領域における間質領域を抽出する間質領域抽出処理ステップと、抽出された上記空白領域及び上記間質領域以外の領域を上記解析対象領域における実質細胞領域として上記病理組織画像から抽出する実質細胞領域抽出処理ステップと、 上記実質細胞領域として抽出された実質細胞の集合体毎に病理特徴量を数値化する定量化処理ステップとを有することを特徴とする。
【００２０】
本発明に係る病理組織画像解析方法は、例えば、さらに、上記定量化処理ステップにおいて数値化された病理特徴量を表示する表示ステップを有するものとすることができる。
【００２１】
本発明に係る病理組織画像解析方法において、上記表示ステップでは、例えば、上記実質細胞の集合体毎に数値化された病理特徴量を用いて、病変の状態を表す指標又はラベルを表示するものとすることができる。
【００２２】
また、本発明に係る病理組織画像解析方法は、さらに、上記病理組織画像中の注目するべき領域を表すマスク情報を生成する注目領域マスク生成ステップを有し、上記表示ステップでは、上記実質細胞の集合体毎に数値化された病理特徴量を用いて、注目領域マスク内での特徴量の統計値を表示するものとすることができる。
【００２３】
また、本発明に係る病理組織画像解析方法において、上記定量化処理ステップでは、上記実質細胞の集合体として、一定長さ以下の細胞の連なりを単位として病理特徴量を数値化するものとすることができる。
【００２４】
また、本発明に係る病理組織画像解析方法において、上記定量化処理ステップでは、上記実質細胞の集合体として、細胞の連なりの分岐を境界とした単位に基づいて病理特徴量を数値化するものとすることができる。
【００２５】
また、本発明に係る病理組織画像解析方法は、上記実質細胞の集合体毎に数値化された病理特徴量を、集合体ごとに付与されたラベル情報とともに保存する保存ステップを有するものとすることができる。
【００２６】
また、本発明に係る病理組織画像解析方法において、上記病理組織画像は、染色処理の施された肝細胞の画像であるものとすることができる。
【００２７】
また、本発明に係る病理組織画像解析方法は、上記空白領域抽出処理ステップとして、取り込まれた病理組織画像から解析対象領域における類洞領域を抽出する類洞領域抽出処理ステップを有し、上記実質細胞領域抽出処理ステップでは、抽出された上記類洞領域及び上記間質領域以外の領域を上記解析対象領域における実質細胞領域として上記病理組織画像から抽出し、上記定量化処理ステップでは、上記実質細胞領域として抽出された細胞索毎に病理特徴量を定量化するものとすることができる。
【００２８】
また、本発明に係る病理組織画像解析方法において、上記類洞領域抽出処理ステップは、上記解析対象領域の病理組織画像について方位選択フィルタによる境界強調処理を行う境界強調処理ステップと、 上記境界強調処理が施された上記解析対象領域の病理組織画像についてクラスタリングによる類洞領域抽出処理を行うクラスタリング処理ステップと、抽出された類洞領域について、サポートベクターマシン（SVM:Support Vector Machine）による誤抽出領域削減処理を行う誤抽出領域削減処理ステップとを有するものとすることができる。
【００２９】
本発明に係る病理組織画像解析方法において、上記間質領域抽出処理ステップは、上記解析対象領域の病理組織画像について、テクスチャ特徴による線維確率算出処理を行う線維確率算出処理ステップと、上記解析対象領域の病理組織画像について、色のよく似た領域にクラスタリングするスーパーピクセル化処理を行うスーパーピクセル化処理ステップと、スーパーピクセル毎に平均線維確率を算出して線維確率の高いスーパーピクセルを間質として抽出する第１の間質抽出処理ステップと、リンパ球の多いスーパーピクセルを間質として抽出する第２の間質抽出処理ステップとを有するものとすることができる。
【００３０】
また、本発明に係る病理組織画像解析方法において、上記定量化処理ステップでは、上記実質細胞領域抽出処理ステップにおいて抽出された実質細胞領域の病理組織画像について、上記実質細胞領域の閉領域図形の中心線に沿った幅を計測し、定量化した病理特徴量として出力する距離計測処理を行うものとすることができる。
【００３１】
本発明に係る病理組織画像解析方法において、上記定量化処理ステップは、上記実質細胞領域抽出処理ステップにおいて抽出された実質細胞領域の病理組織画像について、上記実質細胞領域の中心線を求めることにより細線化する細線化処理ステップと、細線化された上記実質細胞領域の分岐から分岐までを枝とし、枝単位で上記実質細胞領域を分類する細胞索分類処理ステップと、分類された上記枝単位の実質細胞領域の病理組織画像について、上記実質細胞領域の中心線から境界までの距離を計測し、定量化した病理特徴量として出力する距離計測処理ステップとを有するものとすることができる。
【００３２】
さらに、本発明に係る病理組織画像解析方法において、上記定量化処理ステップでは、病理特徴量としてさらに細胞索毎の核密度又は索毎のＮＣ比の平均を算出して出力するものとすることができる。
【００３３】
本発明は、病理組織画像解析装置であって、解析対象物を撮像して得られた病理組織画像を取り込む画像取込処理部と、上記画像取込処理部により取り込まれた病理組織画像から解析対象領域において細胞が存在しない領域を抽出する空白領域抽出処理部と、上記病理組織画像から解析対象領域における間質領域を抽出する間質領域抽出処理部と、上記間質領域抽出処理部により抽出された空白領域及び上記間質領域抽出処理部により抽出された間質領域以外の領域を上記解析対象領域における実質細胞領域として上記病理組織画像から抽出する実質細胞領域抽出処理部と、上記実質細胞領域抽出処理部により実質細胞領域として抽出された実質細胞の集合体毎に病理特徴量を数値化する定量化処理部とを備えることを特徴とする。
【００３４】
本発明に係る病理組織画像解析装置は、さらに、上記定量化処理部により数値化された病理特徴量を表示する表示部を備えるものとすることができる。
【００３５】
また、本発明に係る病理組織画像解析装置において、上記定量化処理部は、上記実質細胞の集合体毎に数値化された病理特徴量を用いて、病変の状態を表す指標又はラベルを上記表示部により表示するものとすることができる。
【００３６】
また、本発明に係る病理組織画像解析装置において、上記定量化処理部は、上記病理組織画像中の注目するべき領域を表すマスク情報を生成し、上記実質細胞の集合体毎に数値化された病理特徴量を用いて、注目領域マスク内での特徴量の統計値を上記表示部により表示するものとすることができる。
【００３７】
また、本発明に係る病理組織画像解析装置において、上記定量化処理部は、上記実質細胞の集合体として、一定長さ以下の細胞の連なりを単位として病理特徴量を数値化するものとすることができる。
【００３８】
また、本発明に係る病理組織画像解析装置において、上記定量化処理部は、上記実質細胞の集合体として、細胞の連なりの分岐を境界とした単位に基づいて病理特徴量を数値化するものとすることができる。
【００３９】
また、本発明に係る病理組織画像解析装置は、さらに、上記実質細胞の集合体毎に数値化された病理特徴量を、集合体ごとに付与されたラベル情報とともに保存する情報保存部を備えるものとすることができる。
【００４０】
また、本発明に係る病理組織画像解析装置において、上記病理組織画像は、染色処理の施された肝細胞の画像であるものとすることができる。
【００４１】
また、本発明に係る病理組織画像解析装置において、上記空白領域抽出処理部は、取り込まれた病理組織画像から解析対象領域における類洞領域を抽出する類洞領域抽出処理部であり、上記実質細胞領域抽出処理部では、上記類洞領域抽出処理部により抽出された上記類洞領域及び上記間質領域以外の領域を上記解析対象領域における実質細胞領域として上記病理組織画像から抽出し、 上記定量化処理部では、上記実質細胞領域抽出処理部により実質細胞領域として抽出された細胞索毎に病理特徴量を定量化するものとすることができる。
【００４２】
また、本発明に係る病理組織画像解析装置において、上記類洞領域抽出処理部は、上記解析対象領域の病理組織画像について方位選択フィルタによる境界強調処理を行う境界強調処理部と、上記境界強調処理部により境界強調処理が施された上記解析対象領域の病理組織画像についてクラスタリングによる類洞領域抽出処理を行うクラスタリング処理部と、上記クラスタリング処理部により抽出された類洞領域について、サポートベクターマシン（SVM:Support Vector Machine）による誤抽出領域削減処理を行う誤抽出領域削減処理ステップとを備えるものとすることができる。
【００４３】
また、本発明に係る病理組織画像解析装置において、上記間質領域抽出処理部は、上記解析対象領域の病理組織画像について、テクスチャ特徴による線維確率算出処理を行う線維確率算出処理部と、上記解析対象領域の病理組織画像について、色のよく似た領域にクラスタリングするスーパーピクセル化処理を行うスーパーピクセル化処理部と、スーパーピクセル毎に平均線維確率を算出して線維確率の高いスーパーピクセルを間質として抽出する第１の間質抽出処理部と、リンパ球の多いスーパーピクセルを間質として抽出する第２の間質抽出処理部とを備えるものとすることができる。
【００４４】
また、本発明に係る病理組織画像解析装置において、上記定量化処理部では、上記実質細胞領域抽出処理部により抽出された実質細胞領域の病理組織画像について、上記実質細胞領域の閉領域図形の中心線に沿った幅を計測し、定量化した病理特徴量として出力する距離計測処理を行うものとすることができる。
【００４５】
また、本発明に係る病理組織画像解析装置において、上記定量化処理部は、上記実質細胞領域抽出処理部により抽出された実質細胞領域の病理組織画像について、上記実質細胞領域の中心線を求めることにより細線化する細線化処理部と、細線化された上記実質細胞領域の分岐から分岐までを枝とし、枝単位で上記実質細胞領域分類する細胞索分類処理部と、上記細胞索分類処理部により分類された上記枝単位の実質細胞領域の病理組織画像について、上記実質細胞領域の中心線から境界までの距離を計測し、定量化した病理特徴量として出力する距離計測処理部とを備えるものとすることができる。
【００４６】
さらに、本発明に係る病理組織画像解析装置において、上記定量化処理部では、病理特徴量としてさらに細胞索毎の核密度又は索毎のＮＣ比の平均を算出して出力するものとすることができる。
【００４７】
本発明は、解析対象物を撮像して得られた病理組織画像の解析を行う病理組織画像解析装置に備えられるコンピュータにより実行される病理組織画像解析プログラムであって、取り込まれた病理組織画像から解析対象領域において細胞が存在しない領域を抽出する空白領域抽出処理部と、上記病理組織画像から解析対象領域における間質領域を抽出する間質抽領域出処理部と、上記間質領域抽出処理部により抽出された空白領域及び上記間質領域抽出処理部により抽出された間質領域以外の領域を上記解析対象領域における実質細胞領域として上記病理組織画像から抽出する実質細胞領域抽出処理部と、上記実質細胞領域抽出処理部により実質細胞領域として抽出された実質細胞の集合体毎に病理特徴量を数値化する定量化処理部として上記コンピュータを機能させることを特徴とする。
【００４８】
本発明に係る病理組織画像解析プログラムは、さらに、上記定量化処理部により数値化された病理特徴量を表示部に表示するものとすることができる。
【００４９】
また、本発明に係る病理組織画像解析プログラムにおいて、上記定量化処理部は、上記実質細胞の集合体毎に数値化された病理特徴量を用いて、病変の状態を表す指標又はラベルを上記表示部により表示するものとすることができる。
【００５０】
また、本発明に係る病理組織画像解析プログラムにおいて、上記定量化処理部は、上記病理組織画像中の注目するべき領域を表すマスク情報を生成し、上記実質細胞の集合体毎に数値化された病理特徴量を用いて、注目領域マスク内での特徴量の統計値を上記表示部により表示するものとすることができる。
【００５１】
また、本発明に係る病理組織画像解析プログラムにおいて、上記定量化処理部は、上記実質細胞の集合体として、一定長さ以下の細胞の連なりを単位として病理特徴量を数値化するものとすることができる。
【００５２】
また、本発明に係る病理組織画像解析プログラムにおいて、上記定量化処理部は、上記実質細胞の集合体として、細胞の連なりの分岐を境界とした単位に基づいて病理特徴量を数値化するものとすることができる。
【００５３】
また、本発明に係る病理組織画像解析プログラムは、さらに、上記実質細胞の集合体毎に数値化された病理特徴量を、集合体ごとに付与されたラベル情報とともに保存する情報保存部に保存させるものとすることができる。
【００５４】
また、本発明に係る病理組織画像解析プログラムにおいて、上記病理組織画像は、染色処理の施された肝細胞の画像であるものとすることができる。
【００５５】
また、本発明に係る病理組織画像解析プログラムにおいて、上記空白領域抽出処理部は、取り込まれた病理組織画像から解析対象領域における類洞領域を抽出する類洞領域抽出処理部であり、上記実質細胞領域抽出処理部では、上記類洞領域抽出処理部により抽出された上記類洞領域及び上記間質領域以外の領域を上記解析対象領域における実質細胞領域として上記病理組織画像から抽出し、上記定量化処理部では、上記実質細胞領域抽出処理部により実質細胞領域として抽出された細胞索毎に病理特徴量を定量化するものとすることができる。
【００５６】
また、本発明に係る病理組織画像解析プログラムは、上記類洞領域抽出処理部は、上記解析対象領域の病理組織画像について方位選択フィルタによる境界強調処理を行う境界強調処理部と、 上記境界強調処理部により境界強調処理が施された上記解析対象領域の病理組織画像についてクラスタリングによる類洞領域抽出処理を行うクラスタリング処理部と、上記クラスタリング処理部により抽出された類洞領域について、サポートベクターマシン（SVM:Support Vector Machine）による誤抽出領域削減処理を行う誤抽出領域削減処理ステップとを備える類洞領域抽出処理部として上記コンピュータを機能させるものとすることができる。
【００５７】
また、本発明に係る病理組織画像解析プログラムは、上記解析対象領域の病理組織画像について、テクスチャ特徴による線維確率算出処理を行う線維確率算出処理部と、上記解析対象領域の病理組織画像について、色のよく似た領域にクラスタリングするスーパーピクセル化処理を行うスーパーピクセル化処理部と、スーパーピクセル毎に平均線維確率を算出して線維確率の高いスーパーピクセルを間質として抽出する第１の間質抽出処理部と、リンパ球の多いスーパーピクセルを間質として抽出する第２の間質抽出処理部と備える間質領域抽出処理部として上記コンピュータを機能させるものとすることができる。
【００５８】
また、本発明に係る病理組織画像解析プログラムにおいて、上記定量化処理部では、上記実質細胞領域抽出処理部により抽出された実質細胞領域の病理組織画像について、上記実質細胞領域の閉領域図形の中心線に沿った幅を計測し、定量化した病理特徴量として出力する距離計測処理を行うものとすることができる。
【００５９】
また、本発明に係る病理組織画像解析は、上記実質細胞領域抽出処理部により抽出された実質細胞領域の病理組織画像について、上記実質細胞領域の中心線を求めることにより細線化する細線化処理部と、細線化された上記実質細胞領域の分岐から分岐までを枝とし、枝単位で上記実質細胞領域を分類する細胞索分類処理部と、上記細胞索分類処理部により分類された上記枝単位の実質細胞領域の病理組織画像について、上記実質細胞領域の中心線から境界までの距離を計測し、定量化した病理特徴量として出力する距離計測処理部とを備える定量化処理部として上記コンピュータを機能させるものとすることができる。
【００６０】
さらに、本発明に係る病理組織画像解析プログラムにおいて、上記定量化処理部では、病理特徴量としてさらに細胞索毎の核密度又は索毎のＮＣ比の平均を算出して出力するものとすることができる。
【発明の効果】
【００６１】
本発明では、解析対象物を撮像して得られた病理組織画像から解析対象領域において細胞が存在しない領域と間質領域を抽出することで、上記空白領域及び上記間質領域以外の領域を上記解析対象領域における実質細胞領域として抽出し、上記実質細胞領域として抽出された実質細胞の集合体毎に病理特徴量を数値化することにより、定量化情報を臨床診断で活用しやすいよう提示することのできる病理組織画像解析方法、病理組織画像解析装置及び病理組織画像解析プログラムを提供し、病理画像の診断支援を実現することができる。
【００６２】
特に、本発明では、肝臓のＨＥ染色病理画像において複雑な構造である索状構造を解析して定量化することで、定量化情報を臨床診断で活用しやすいよう提示することのでき、所期の目的を達成することができる。
【図面の簡単な説明】
【００６３】
【図１】本発明に係る病理組織画像解析方法の手順を示すフローチャートである。
【図２】上記病理組織画像解析方法を実施する病理組織画像解析装置の構成を示すブロック図である。
【図３】上記病理組織画像解析装置における演算処理部を構成するコンピュータの機能を示すブロック図である。
【図４】細胞索の様子を示す図（参考図としてカラー図面を提出する。）である。
【図５】上記病理組織画像解析装置の類洞領域抽出処理部において実行される空白領域抽出処理ステップでの処理内容を示すフローチャートである。
【図６】上記類洞領域抽出処理部において実行される空白領域抽出処理ステップにおける方位選択フィルタによる境界強調処理の様子を示す図（参考図としてカラー図面を提出する）である。
【図７】上記病理組織画像解析装置における誤抽出領域削減処理の手順を示すフローチャートである。
【図８】類洞領域抽出結果を示す図（参考図としてカラー図面を提出する）である。
【図９】上記病理組織画像解析装置における色情報抽出処理の手順を示すフローチャートである。
【図１０】色特徴量を算出する領域を示す図である。
【図１１】学習に用いた画像を示す図である。
【図１２】上記病理組織画像解析装置の間質領域抽出処理部において実行される間質領域抽出処理ステップでの処理内容を示すフローチャートである。
【図１３】ＨＥ染色画像における線維と細胞質の様子を示す図（参考図としてカラー図面を提出する）である。
【図１４】ＳＶＭを用いて繊維領域を抽出した結果を示す図（参考図としてカラー図面を提出する）である。
【図１５】画素ごとに求めた線維確率をスーパーピクセルに重ねた結果を示す図（参考図としてカラー図面を提出する）である。
【図１６】画素ごとに求めた線維確率をリンパ球の多いスーパーピクセルに重ねた結果を示す図（参考図としてカラー図面を提出する）である。
【図１７】線維確率の高いスーパーピクセルとリンパ球の多いスーパーピクセルを合わせて間質として抽出した結果を示す図（参考図としてカラー図面を提出する）である。
【図１８】類洞と間質を抽出して残りを取り出すことで細胞索を抽出した結果を示す図（参考図としてカラー図面を提出する）である。
【図１９】上記病理組織画像解析装置の定量化処理部において実行される定量化処理ステップでの処理内容を示すフローチャートである。
【図２０】索状構造から抽出した枝を重ねた結果を示す図（参考図としてカラー図面を提出する）である。
【図２１】索状構造と枝の関係を示す図（参考図としてカラー図面を提出する）である。
【図２２】上記病理組織画像解析装置において索状構造の中心線から境界までの距離を計測し、代表値として中央値を用いることで索の厚さを自動計測した結果を、手動による計測結果と比較して示す図（参考図としてカラー図面を提出する）である。
【図２３】典型的な分化度によって索の厚さが変化するヒストグラムを示す図である。
【図２４】抽出された枝単位で解析を行う様子を示す図（参考図としてカラー図面を提出する）である。
【図２５】索状構造から索単位の抽出を行う様子を示す図である。
【図２６】肝細胞癌の分化度による分類例を示す図である。
【図２７】横軸を分化度として核密度を示す図である。
【図２８】横軸を分化度として索ごとの核密度平均を示す図である。
【図２９】横軸を分化度としてＮＣ比を示す図である。
【図３０】横軸を分化度として索ごとのＮＣ比平均を示す図である。
【図３１】横軸を分化度として索ごとの核の数の分散を示す図である。
【図３２】横軸を分化度として層数のＮＣ比平均を示す図である。
【図３３】上記病理組織画像解析装置により索の厚さを計測し、表示部に表示するＧＵＩ画面の様子を示す図（参考図としてカラー図面を提出する）である。
【図３４】上記ＧＵＩ画面における［病理組織画像］ウインドウに表示される病理組織画像を拡大した画像を示す図（参考図としてカラー図面を提出する）である。
【図３５】肝病理画像を示す図である。
【発明を実施するための形態】
【００６４】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００６５】
本発明に係る病理組織画像解析方法は、例えば、図１のフローチャートに示すように、画像取込処理ステップＳ１、空白領域抽出処理ステップＳ２、間質領域抽出処理ステップＳ３、実質細胞領域抽出処理ステップＳ４、定量化処理ステップＳ５を有し、各処理ステップＳ１〜Ｓ５の処理を実行するコンピュータからなる例えば図２に示すような構成の病理組織画像解析装置１００により実施される。
【００６６】
本発明に係る病理組織画像解析方法では、先ず画像取込処理ステップＳ１において、解析対象物を撮像して得られた病理組織画像を取り込む。
【００６７】
次の空白領域抽出処理ステップＳ２では、取り込まれた病理組織画像から解析対象領域において細胞が存在しない領域を抽出する。
【００６８】
また、間質領域抽出処理ステップＳ３では、上記病理組織画像から解析対象領域における間質領域を抽出する。
【００６９】
次の実質細胞領域抽出処理ステップＳ４では、抽出された上記空白領域及び上記間質領域以外の領域を上記解析対象領域における実質細胞領域として上記病理組織画像から抽出する。
【００７０】
すなわち、本発明に係る病理組織画像解析方法では、病理組織画像から空白領域と間質領域を抽出し、上記空白領域及び間質領域以外の領域を上記解析対象領域における実質細胞領域として抽出する。
【００７１】
そして、定量化処理ステップＳ５では、上記実質細胞領域として抽出された実質細胞の集合体毎に病理特徴量を数値化する。
【００７２】
上記定量化処理ステップＳ５では、上記実質細胞の集合体として、一定長さ以下の細胞の連なりを単位として病理特徴量を数値化するものとすることができる。また、上記定量化処理ステップＳ５では、上記実質細胞の集合体として、細胞の連なりの分岐を境界とした単位に基づいて病理特徴量を数値化するものとすることができる。
【００７３】
また、本発明に係る病理組織画像解析方法は、図１のフローチャートに示すように、さらに、上記定量化処理ステップＳ５において数値化された病理特徴量を表示する表示処理ステップＳ６を有するものとすることができる。
【００７４】
上記表示処理ステップＳ６では、例えば、上記実質細胞の集合体毎に数値化された病理特徴量を用いて、病変の状態を表す指標又はラベルを表示する。
【００７５】
さらに、本発明に係る病理組織画像解析方法は、上記病理組織画像中の注目するべき領域を表すマスク情報を生成する注目領域マスク生成ステップを有するものとし、上記表示処理ステップＳ６では、上記実質細胞の集合体毎に数値化された病理特徴量を用いて、注目領域マスク内での特徴量の統計値を表示するものとすることができる。
【００７６】
さらに、本発明に係る病理組織画像解析方法は、上記実質細胞の集合体毎に数値化された病理特徴量を、集合体ごとに付与されたラベル情報とともに保存する保存ステップを有するものとすることができる。
【００７７】
本発明に係る病理組織画像解析方法を実施する病理組織画像解析装置１００は、画像取込処理部１０が接続されたコンピュータからなる演算処理部２０、この演算処理部２０に接続された主記憶部３０、入力部４０、表示部５０などからなる。
【００７８】
この病理組織画像解析装置１００において、上記画像取込処理部１０は、スキャナなどからなり、解析対象物を撮像して得られた病理組織画像を取り込む。
【００７９】
また、演算処理部２０は、病理組織画像の取得とその画像処理、各種特徴量の平均、分散、パーセンタイルなど算出する統計処理を行うコンピュータからなる。
【００８０】
また、主記憶部３０は、上記コンピュータにインストールされた病理組織画像解析プログラムや計測結果を保存する。
【００８１】
また、入力部４０は、厚さなどを計測したい索の指定や統計量の算出範囲の指定を行うためのキーボードやマウスからなる
【００８２】
そして、表示部５０には、上記演算処理部２０による処理結果などが表示される。
【００８３】
ここで、本発明に係る病理組織画像解析方法では、例えば、上記画像取込処理ステップＳ１において、上記病理組織画像として染色処理の施された肝細胞の画像を取り込み、肝細胞の病理組織画像の解析を行うことができる。
【００８４】
この場合、上記空白領域抽出処理ステップＳ２では、取り込まれた病理組織画像から解析対象領域における類洞領域を抽出し、上記実質細胞領域抽出処理ステップＳ４では、抽出された上記類洞領域及び上記間質領域以外の領域を上記解析対象領域における実質細胞領域として上記病理組織画像から抽出し、上記定量化処理ステップＳ５では、上記実質細胞領域として抽出された細胞索毎に病理特徴量を定量化する。
【００８５】
以下、上記病理組織画像解析装置１００により、肝細胞の病理組織画像の解析を行うものとして、上記病理組織画像解析装置１００の構成及び動作を具体的に説明する。
【００８６】
この病理組織画像解析装置１００において、上記演算処理部２０を構成するコンピュータは、インストールされた病理組織画像解析プログラムを実行することにより、図３に示すように、上記画像取込処理部１０により取り込まれた病理組織画像から解析対象領域における類洞領域を抽出する類洞領域抽出処理部２１０と、上記画像取込処理部１０により取り込まれた病理組織画像から上記解析対象領域における間質領域を抽出する間質領域抽出処理部２２０と、上記類洞領域抽出処理部２１０により抽出された抽出された類洞領域及び上記間質領域抽出処理部２２０により抽出された間質領域以外の領域を上記解析対象領域における細胞索領域として上記病理組織画像から抽出する細胞索抽出処理部２３０と、上記細胞索抽出処理部２３０により細胞索領域として抽出された細胞索毎に病理特徴量を定量化する定量化処理部２４０、上記定量化処理部２４０による処理結果などを上記表示部５０により表示する制御を行う表示制御部２５０として機能する。
【００８７】
すなわち、上記病理組織画像解析装置１００における演算処理部２０は、空白領域抽出処理ステップＳ２の処理として上記画像取込処理部１０により取り込まれた病理組織画像から解析対象領域における類洞領域を抽出する処理を行う類洞領域抽出処理部２１０と、上記画像取込処理部１０により取り込まれた病理組織画像から上記解析対象領域における間質領域を抽出する上記間質領域抽出処理ステップＳ３の処理を行う間質領域抽出処理部２２０と、上記類洞領域抽出処理部２１０により抽出された抽出された類洞領域及び上記間質領域抽出処理部２２０により抽出された間質領域以外の領域を上記解析対象領域における実質細胞領域として上記病理組織画像から抽出する上記実質細胞領域抽出処理ステップＳ４の処理を行う細胞索抽出処理部２３０と、上記細胞索抽出処理部２３０により実質細胞領域として抽出された細胞索毎に病理特徴量を定量化する上記定量化処理ステップＳ５の処理を行う定量化処理部２４０とを備える。
【００８８】
ここで、本実施形態において、上記病理組織画像は、例えば、染色処理の施された肝細胞の画像であるものとする。
【００８９】
肝細胞癌は、正常の肝臓の構造を模倣した索状構造を基本とするため、正常構造を示す細胞と索状構造を模倣した癌細胞を識別するには索状構造の解析が必要である。
【００９０】
細胞索１の様子を図４に示す。
【００９１】
類洞と肝細胞の境界に存在する内皮細胞などの類洞壁細胞は、視覚的には滑らかな曲線上に配列しているように認識できるが、赤血球やリンパ球の影響で隙間や途切れが存在し、画像処理によってこの境界をもとにして領域分割を行うと、途切れた部分で正しい境界を求めることが困難となる。
【００９２】
そこで、この病理組織画像解析装置１００では、滑らかな形状を持ち、途切れのある境界に対して途切れた部分を接続し、境界を強調するため、方位選択制フィルタを適用している。
【００９３】
上記類洞領域抽出処理部２１０において実行される上記空白領域抽出処理ステップＳ２の処理、すなわち、類洞領域抽出処理では、図５のフローチャートに処理手順を示すように、上記解析対象領域の病理組織画像について方位選択フィルタによる境界強調処理を行う（境界強調処理ステップＳ２１）。
【００９４】
ここで、方位選択制フィルタは、輝度の勾配方向にアフィン変換した棒状フィルタを選択的に畳み込む。図６の（Ａ）に示す原画像に対して、上記境界強調処理ステップＳ２１において、方位選択制フィルタをかけた結果を図６の（Ｂ）に示す。
【００９５】
図６の（Ａ）に示す原画像では、類洞周辺の細胞質が淡明化しており拡大すると境界が不明瞭になっている。これに対して、図６の（Ｂ）に示す方位選択制フィルタを適用した結果では、淡明化した細胞質との境界は周辺の細胞質によってエオジンのピンク色が濃くなり、類洞は内部の分泌液が平滑化作用によって白くなっており、類洞と肝細胞の境界が明瞭になっていることが確認できる。
【００９６】
そして、上記境界強調処理ステップＳ２１において境界強調処理が施された上記解析対象領域の病理組織画像についてクラスタリングによる類洞領域抽出処理を行う（クラスタリング処理ステップＳ２２）。このクラスタリング処理ステップＳ２２では、処理結果画像にＥＭアルゴリズムを適用してクラスタリングすることで白色領域を類洞として抽出する。
【００９７】
さらに、クラスタリング処理ステップＳ２２において抽出された類洞領域について、サポートベクターマシン（SVM:Support Vector Machine）による誤抽出領域削減処理を行っている（誤抽出領域削減処理ステップＳ２３）。
【００９８】
この病理組織画像解析装置１００において、誤抽領域出削減処理ステップＳ２３の誤抽出領域削減処理は、図７のフローチャートに示す手順に従って、色情報抽出処理ステップＳ２３１、学習処理ステップＳ２３２、削除処理ステップＳ２３３により行われる。
【００９９】
ここで、図８の（Ａ）に示す原画像から方位選択制フィルタとＥＭアルゴリズムを使用して抽出した結果を図８の（Ｂ）に示す。図８の（Ｂ）では、淡明化した細胞質で誤抽出が見られる。そのため、ここでは、図８の（Ｂ）で抽出された小領域を類洞候補領域と呼ぶ。そして、抽出精度を向上させるため誤抽出領域削減処理を行う。最終的な削減結果を図８の（Ｃ）に示す。
【０１００】
色情報抽出処理ステップＳ２３１では、図８の（Ｂ）のように抽出された小領域ごとに、図９のフローチャートに示す手順に従って、ヒストグラム作成処理ステップＳ２３１Ａ、外側領域決定処理ステップＳ２３１Ｂ、特徴量算出処理ステップＳ２３１Ｃにより、色情報を抽出する。
【０１０１】
ヒストグラム作成処理ステップＳ２３１Ａでは、抽出された小領域ごとに６４階調ヒストグラムを作成する。
【０１０２】
外側領域決定処理ステップＳ２３１Ｂでは、小領域ごとに５回膨張させ、その膨張領域を外側とすることにより、対象となる小領域２の外側５pixel分の外側領域を決定する。
【０１０３】
特徴量算出処理ステップＳ２３１Ｃでは、  上記ヒストグラム作成処理ステップＳ２３１Ａにおいて作成されたヒストグラムに基づいて、図１０の（Ａ）に示すように抽出された小領域２でヒストグラム特徴量を算出する。また、図１０の（Ｂ）に示すように対象となる小領域の外側５pixel分の外側領域３の色特徴量を算出する。
【０１０４】
色特徴量としては、例えば、濃度ヒストグラムから平均（μ）、分散（σ２）、歪度（Ｓ）、尖度（Ｋ）を次の式（１）〜式（４）により求める。
【０１０５】
【数１】
2014134517.tif 000003
【０１０６】
【数２】
2014134517.tif 000004
【０１０７】
【数３】
2014134517.tif 000005
【０１０８】
【数４】
2014134517.tif 000006
【０１０９】
学習処理ステップＳ２３２では、このようにして各小領域で抽出した８次元の特徴量を用いて「類洞と類洞以外の空域」の色特徴量でＳＶＭを学習する。学習には図１１の（Ａ）、（Ｂ）に示す画像を用いた。図１１の（Ａ）、（Ｂ）に示す画像において、緑色は類洞５を示し、赤色は類洞以外の空域６を示しており、類洞に該当する空域が１７３個、類洞以外の空域が１０８個である。
【０１１０】
そして、削除処理ステップＳ２３３では、新たな画像が入力されたら同様に方位選択制フィルタとＥＭアルゴリズムを用いて類洞候補領域を抽出し、前述の手法で学習したサポートベクターマシン（SVM:Support Vector Machine）を用いて誤抽出領域の削減を行う。
【０１１１】
このように上記類洞領域抽出処理部２１０では、上記解析対象領域の病理組織画像について方位選択フィルタによる境界強調処理を行い、上記境界強調処理が施された上記解析対象領域の病理組織画像についてクラスタリングによる類洞領域抽出処理を行って、抽出された類洞領域について、サポートベクターマシン（SVM:Support Vector Machine）による誤抽出領域削減処理を行うことにより、類洞を的確に抽出することができる。
【０１１２】
すなわち、本発明に係る病理組織画像解析方法において、上記類洞領域抽出処理ステップＳ２は、図５に示すように、上記解析対象領域の病理組織画像について方位選択フィルタによる境界強調処理を行う境界強調処理ステップＳ２１と、上記境界強調処理が施された上記解析対象領域の病理組織画像についてクラスタリングによる類洞領域抽出処理を行うクラスタリング処理ステップＳ２２と、抽出された類洞領域について、サポートベクターマシン（SVM:Support Vector Machine）による誤抽出領域削減処理を行う誤抽出領域削減処理ステップＳ２３とを有するものとすることにより、類洞を的確に抽出することができる。
【０１１３】
また、上記間質領域抽出処理部２２０において実行される上記間質領域抽出処理ステップＳ３の処理では、図１２に示すように、上記解析対象領域の病理組織画像について、線維確率算出処理ステップＳ３１においてテクスチャ特徴による線維確率を算出するとともに、スーパーピクセル化処理ステップＳ３２において、上記解析対象領域の病理組織画像について、色のよく似た領域にクラスタリングするスーパーピクセル化処理を行い、それらの処理結果に基づいて、第１の間質抽出処理ステップＳ３３１において、スーパーピクセル毎に平均線維確率を算出して線維確率の高いスーパーピクセルを間質として抽出するとともに、第２の間質抽出処理ステップＳ３３２においてリンパ球の多いスーパーピクセルを間質として抽出し、繊維確率とリンパ球の多いスーパーピクセルを合わせた結果を間質として抽出する間質領域抽出処理（間質抽出処理ステップＳ３３）を行う。
【０１１４】
すなわち、ＨＥ染色は、細胞核を青紫のヘマトキシリン、細胞質を赤紫のエオジンで染める。その際に、線維にもエオジンが入るため細胞質に近い赤紫色で染まる。このため、類洞の様に色に基づくクラスタリングでは抽出が困難である。図１３の（Ａ）（参考図として提出するカラー図面参照）に線維を示し、図１３の（Ｂ）（参考図として提出するカラー図面参照）に細胞質を示す。また、ＨＥ染色画像では線維と細胞質の色差が微細であるのに加えて、染色状態によって色の濃さが相対的に変化するため色情報による抽出は制約が多い。
【０１１５】
そこで、この病理組織画像解析装置１００では、従来より医用画像処理で用いられる濃度共起行列を用いてテクスチャ特徴による識別を行い、線維確率算出処理ステップＳ３１においてテクスチャ特徴による線維確率をピクセル毎に算出する。
【０１１６】
濃度共起行列は、一定の範囲の矩形内での画素間の共起性を定量化する手法であり、方向性を考慮して定量化するためテクスチャに方向性がある場合に特に効果を発揮する。図１３の（Ａ）に示す通り、多くの場合線維は方向性のあるテクスチャを有している。これに対して、図１３の（Ｂ）に示すように細胞質や細胞核は等方性があり向きによってテクスチャ特徴は大きく変化しない。そこで、６４×６４サイズで線維領域２０００枚とそれ以外の領域を２０００枚集めてサポートベクターマシン（SVM:Support Vector Machine）を用いて学習を行った。
【０１１７】
ここでは、２０倍で撮影された１ｍｍ×１ｍｍ（２１７４×２１７４ｐｉｘｅｌ）の画像を対象としており、図１４の（Ａ）に示す画像からＳＶＭを用いて繊維領域を抽出した結果を図１４の（Ｂ）に示す。線維が方向性を持つ部分で抽出されていることが確認できる。
【０１１８】
図１４の（Ｂ）に示す抽出結果では、６４×６４の範囲で計算を行うため原画像に対して解像度が低い。また、間質には線維以外にもリンパ球が入るためリンパ球領域も加える必要がある。
【０１１９】
この病理組織画像解析装置１００では、二つの問題を解決するためスーパーピクセルを導入している。スーパーピクセルは色の良くにた領域にクラスタリングする手法で、ミーンシフト法やk-means法、graph cutを用いた手法が提案されている。上記スーパーピクセル化処理ステップＳ３２では、従来より知られているSLIC(Simple Linear Iterative Clustering)を用いてスーパーピクセルを算出している。SLICについては、例えば非特許文献３に詳述されている。
【０１２０】
そして、この病理組織画像解析装置１００における間質領域抽出処理ステップＳ３３では、上記線維確率算出処理ステップＳ３１で画素ごとに線維確率が求められているので、第１の間質抽出処理ステップＳ３３１において、スーパーピクセル毎に平均線維確率を算出して線維確率の高いスーパーピクセルを間質として抽出するとともに、第２の間質抽出処理ステップＳ３３２においてリンパ球の多いスーパーピクセルを間質として抽出し、繊維確率とリンパ球の多いスーパーピクセルを合わせた結果を間質として抽出する。
【０１２１】
上記間質領域抽出処理ステップＳ３による処理結果の一例を図１５から図１７に示す。
【０１２２】
上記線維確率算出処理ステップＳ３１で画素ごとに求めた図１５の（Ａ）に示す線維確率を第１の間質算出処理ステップＳ３３１においてスーパーピクセルに重ねた結果を図１５の（Ｂ）に示す。
【０１２３】
また、上記線維確率算出処理ステップＳ３１で画素ごとに求めた図１６の（Ａ）に示す線維確率を第２の間質算出処理ステップＳ３３１においてスーパーピクセルに重ねた結果を図１６の（Ｂ）に示す。
【０１２４】
そして、上記線維確率算出処理ステップＳ３１で画素ごとに求めた図１７の（Ａ）に示す線維確率から上記第１の間質抽出処理ステップＳ３３１において抽出した線維確率の高いスーパーピクセルと第２の間質抽出処理ステップＳ３３２において抽出した繊維確率とリンパ球の多いスーパーピクセルを合わせて間質として抽出した結果を図１７の（Ｂ）に示す。
【０１２５】
この図１７の（Ｂ）により、間質領域が精度良く抽出されていることが確認できる。
【０１２６】
このように、上記間質領域抽出処理ステップＳ３では、第１の間質抽出処理ステップＳ３３１においてスーパーピクセル毎に平均線維確率を算出して線維確率の高いスーパーピクセルを間質として抽出するとともに、第２の間質抽出処理ステップＳ３３２においてリンパ球の多いスーパーピクセルを間質として抽出し、繊維確率とリンパ球の多いスーパーピクセルを合わせた結果を間質として抽出することにより、間質領域を精度良く抽出することができる。
【０１２７】
なお、本実施の形態では、スーパーピクセルを算出する手法としてSLICを採用しているがこれに限定されるものではない。
【０１２８】
そして、この病理組織画像解析装置１００では、上記細胞索抽出処理部２３０において、上記実質細胞領域抽出処理ステップＳ４の処理を実行することにより、類洞と間質を抽出して残りを取り出すことで細胞索を抽出する。抽出した結果を図１８に示す。図１８は抽出結果を見やすいように拡大している。図１８において、緑色は間質７を示し、青色は類洞８を示している。細胞索を良好に抽出できていることが確認できる。
【０１２９】
また、この病理組織画像解析装置１００において、定量化処理部２４０では、上記細胞索抽出処理部２３０において類洞と間質を除いた実質細胞領域として抽出した細胞索について、上記定量化処理ステップＳ５の処理を図１９のフローチャートに示す手順に従って実行する。
【０１３０】
この病理組織画像解析装置１００における定量化処理ステップＳ５は、細線化処理ステップＳ５１と、細胞索分類処理ステップＳ５２と、距離計測処理ステップＳ５３を有し、上記実質細胞領域抽出処理ステップＳ４において抽出された細胞索領域の病理組織画像について、上記細胞索の閉領域図形の中心線に沿った幅を計測し、定量化した病理特徴量として出力する距離計測処理を行う。
【０１３１】
すなわち、細線化処理ステップＳ５１では、上記実質細胞領域抽出処理ステップＳ４で抽出された実質細胞領域の中心線を求めることにより上記実質細胞領域を細線化し、細胞索分類処理ステップＳ５２では、細線化された上記実質細胞領域の分岐から分岐までを枝とし、枝単位で上記実質細胞領域を分類する。そして、距離計測処理ステップＳ５３では、上記細胞索分類処理ステップＳ５２において分類された上記枝単位の細胞索領域の病理組織画像について、細胞索領域の中心線から境界までの距離を計測し、定量化した病理特徴量として出力する。
【０１３２】
さらに、上記定量化処理ステップＳ５では、病理特徴量としてさらに細胞索毎の核密度又は索毎のＮＣ比の平均を算出して出力するものとすることができる。
【０１３３】
ここで、索状構造は鎖のように連続しているが、１ｍｍ×１ｍｍの視野の中でも索の厚さやＮＣ比など細胞の構造は場所によって変化する。そのため、この病理組織画像解析装置１００では、索状構造を一定の長さに分割する前処理を行ってから定量化する方法を採用している。具体的には、索状領域を細線化して得られる中心線の枝単位でラベル付けして定量化する。索状構造から抽出した枝を重ねた結果を図２０に示す。図２０において緑色の線は索状構造の中心線９を示している。
【０１３４】
中心線９は、類洞や間質からの距離変換画像を用いて求められる。その過程で、細線化画像の各画素は境界までの距離が分かるので、この病理組織画像解析装置１００では、各索の厚さを自動計測している。
【０１３５】
ここで、具体的な索状構造と枝の関係を図２１に示す。図２１の（Ａ）に示す画像中のＡ点からＢ点までの枝の各画素の距離を図２１の（Ｂ）に示している。
【０１３６】
ここでは、距離変換画像のアルゴリズム上の問題で分岐付近で距離が大きくなる傾向が分かる。そこで、この病理組織画像解析装置１００では、分岐から枝の厚さ分だけを除外した点Ｃから点Ｄで中心線から境界までの距離を計測し、代表値として中央値を用いることで索の厚さを自動計測する。
【０１３７】
実際の計測例を図２２に示す。この図２２では、黒線で示した部分を手動で計測し、この病理組織画像解析装置１００により自動計測した結果と比較して示してある。手動計測でも計測場所によっても２〜３μｍ前後のずれが生ずるが計測場所と比較するとかなり近い結果が得られていることが確認できる。従来多くのコンピュータ診断支援では、画素数や比率で表示されるため医師が直観的に特徴量自体を理解することは難しい面があった。しかし、この病理組織画像解析装置１００では、計測結果をμｍで示すことで特徴量としてだけでなく直観的に診断で活用できる情報として表示可能である。
【０１３８】
具体的には、まず図２１の（Ａ）において、厚さを計測する点Ａから点Ｂまでの中心線上のすべての画素で最も近い類洞や間質までの距離を算出する。これは、細胞索の半径に相当する。このため、細胞索の厚さは半径の２倍として定義する。厳密には、中心線から境界までの距離は左右で違う可能性もあるが手動で計測する際にも誤差は発生するため大きな影響は無いと考えられる。また、一つの細胞索の厚さは全ての画素の厚さを計測したときの中央値とする。これは、類洞や間質の抽出に誤差があり外れ値が生じる際の影響を減らすためである。また、図２１の（Ｂ）におけるオレンジ色の範囲に相当する分岐点付近は計算が不正確になるため分岐点から対象の細胞索の厚さ分は計算に含めないこととしてある。
【０１３９】
また、索の厚さは分化度が低くなるほど厚い索が増える傾向が見られ索の厚さをヒストグラムで表示するだけでも分化度推定の一つの情報となる。図２３に典型的な分化度によって索の厚さが変化するヒストグラムを示す。図２３を見ると、分化度が下がるにつれて索の厚さがばらつき厚い索が増えていく様子が確認できる。
【０１４０】
さらに、抽出された枝単位で解析を行う。これは、索ごとに構造解析することに等しい。索単位は図２４に示すように、索の分岐から分岐までを一つの領域として解析を行う。また、図２４に矢印で示すように、核索には索ラベルを付与する。枝から索構造の抽出は図２５に示す通り凸包を用いて行う。図２５は、図２４の索ラベルS-003を抽出した様子を示している。
【０１４１】
すなわち、図２５の（Ａ）に示すように細線化結果の枝を膨張し、凸包を計算し、図２５の（Ｂ）に示す細胞索構造から、凸包に入る細胞索を図２５の（Ｃ）に示すように取り出す。この時、凸包内に他の領域が含まれることもあるため、ラベリングを行って最も面積の多い領域のみをとりだす。ただし、索の領域を決定する方法はこの方法に限定されるものではない。
【０１４２】
また、この病理組織画像解析装置１００では、図２５の（Ｃ）に示す凸包領域を一つの細胞索と考え、ＮＣ比、核密度、曲率、層数を求める。
【０１４３】
ＮＣ比は、一般的には視野範囲内（１ｍｍ×１ｍｍなど）で細胞核面積÷細胞質面積を求める。実際に臨床では、正確に細胞核や細胞質を検出するのが困難なため目測で求められることも多い。
【０１４４】
この病理組織画像解析装置１００では、上述の如く細胞質を正確に求めており、例えば、非特許文献４に記載されている細胞核検出の手法により精度良く求まっている。非特許文献４では、肝臓のヘマトキシリン・エオジン（ＨＥ）染色の病理組織標本の画像を対象とし、ＲＧＢ色空間内で核を染色するヘマトキシリンの色（青紫色）と細胞質を染色するエオジン（ピンク色）を結ぶ軸を選び、ＲＧＢ信号値を投影して、細胞核と細胞質のコントラスト改善し、最後にテンプレートマッチングを用いて細胞核を検出する。細胞核検出の方法は、非特許文献４に記載されている細胞核検出の手法に限定されるものではなく、例えば非特許文献５に記載されている細胞核検出の手法など他の手法を採用することもできる。
【０１４５】
また、細胞索に細胞核を重ねた結果を図２５の（Ｄ）に示す。図２５の（Ｄ）中で、灰色で示した領域Ｐが細胞核である。従って、索ラベルごとのＮＣ比率は細胞核の面積（灰色の画素の数）÷細胞質の面積（白色の画素の数）で求めることができる。
【０１４６】
核密度は、一定の範囲内における細胞核の数の比を意味する。通常は、ＮＣ比と同様に視野範囲内（１ｍｍ×１ｍｍ）に存在する細胞核の数÷細胞質の面積で計算される。
【０１４７】
この病理組織画像解析装置１００では、図２５の（Ｄ）に示した通り灰色の領域Ｐの数÷細胞質の面積（白色の画素数）で求めることができる。
【０１４８】
より病理学的所見に近い特徴量として各細胞索の層数も求めることが可能である。
【０１４９】
この病理組織画像解析装置１００では、一つの索の長さ、厚さ、含まれる細胞索の数が求められる。まず、一つの細胞核の面積（ａ２）は細胞を正方形で近似した場合次の式（５）で求めることができる。
【０１５０】
【数５】
2014134517.tif 000007
【０１５１】
この時、ｔは細胞索の厚さ、ｌは細胞索の長さ、ｍは細胞索に含まれる細胞核の数である。従って、細胞索の層数は次の式（６）のように定義される。ａは一つの細胞を正方形とみなした際の直径である。
【０１５２】
【数６】
2014134517.tif 000008
【０１５３】
また、医学的関係は明確ではないが得られた細胞索の中心線から曲率を求めることもできる。曲率は、一般的に曲率半径の逆数として定義されるが、離散空間では接線ベクトルの角度変化で近似することが可能である。
【０１５４】
この病理組織画像解析装置１００では、細胞索を抽出し細胞索の厚さをμｍ単位で計測することで病理診断で直観的に活用しやすい情報として取得し表示できる。また、ＨＥ染色病理標本画像において、定量化・計数化を行う場合、構造が複雑なため矩形などで区切って一定の範囲で計算することが多いが、この病理組織画像解析装置１００では、細胞索単位で領域を区切り、定量化するためより病理学的な診断方針に合った方法で解析することができる。
［実施例１］
【０１５５】
上記病理組織画像解析装置１００において解析する対象は索状構造であり、実験のために分化度の異なる２９枚の病理組織画像を集めた。背景肝が１０枚、高分化が６枚、高〜中分化が４枚、中分化が９枚である。この実施例１において、比較したデータは核の数とＮＣ比率である。
【０１５６】
肝細胞癌を診断する際に、細胞・構造異型から分類する分化度が用いられている。分化度は、高分化型肝細胞癌、中分化型肝細胞癌、低分化型肝細胞癌で分類される。低分化癌に近づくほど、細胞・構造異型が強くなる。また、分化度は図２６に示す通り単純に一つの視野内でも中分化型のみで構成されるわけではなく詳細に組織構築を見て決定される。
【０１５７】
図２６において、Ｉ，ＩＩ，ＩＩＩは、それぞれ高分化型、中分化型、低分化型を示すが、このように異なる分化度の癌組織からなる結節は、辺縁に高分化型、内部に低分化型癌組織を伴う中分化型肝細胞癌と記載される。
【０１５８】
低分化癌に近づくほど核腫大やＮＣ比（核÷細胞質）の増加などの細胞異型を伴うことが知られている。画像全体での核の数、ＮＣ比率と索ごとに相関分析した結果を表１に示す。
【０１５９】
【表１】
2014134517.tif 000009
【０１６０】
分化度は一つの評価因子だけで分かるものではないため相関係数が低くなっているが、１ｍｍ×１ｍｍ内の単純な核の数よりも一つの細胞索ごとに含まれる核の数の平均の方が相関係数が高くなっている。同様に、ＮＣ比も画像全体における細胞核÷細胞質の比率よりも細胞索ごとにＮＣ比を求めて平均を出した方が相関係数が高くなっている。これは、図２６に示したように一つの画像内でも細胞異型が強い領域と弱い領域が混在するため画像全体で評価するよりも、細胞索単位で評価した方がより詳細に細胞異型を見られていることを示していると考えられる。また、図２７に横軸を分化度として核密度を示すとともに、図２８に横軸を分化度として索ごとの核密度平均を示す。また、図２９に横軸を分化度としてＮＣ比を示すとともに、図３０に横軸を分化度として索ごとのＮＣ比平均を示す。
【０１６１】
また、索ごとに病理画像を評価する利点として索単位での構造解析が可能になる点が挙げられる。例えば、分化度と索ごとの核の数の分散をみると相関係数が０．７７と高い値を示す。
【０１６２】
また、図３１に横軸を分化度として索ごとの核の数の分散を示す。図３１は、分化度が低くなるほど一つの索に入る核の数がばらついてくることを示している。
【０１６３】
さらに、図３２に横軸を分化度として索ごとの細胞索の層数の平均を示す。表１に示した通り、層数平均は相関係数０．７４と高い値を示している。層数の計算については、索ごとに明確に層数の定義が可能となる意義が大きい。また、索状に連続する細胞索を索ラベル単位で区切ることで定量解析が容易になる。
［実施例２］
【０１６４】
上記病理組織画像解析装置１００において、表２に示すような索ラベルごとの情報を主記憶部３０に保存しており、病理組織画像解析プログラムにしたがって、解析対象物を撮像して得られた病理組織画像を画像取込処理部１０により取り込み、取り込んだ病理組織画像をついて演算処理部２０により自動計測を行い、計測結果を主記憶部３０に保存した。
【０１６５】
【表２】
2014134517.tif 000010
【０１６６】
上記病理組織画像解析装置１００により索の厚さを計測し、表示部５０に表示する様子を図３３に示す。
【０１６７】
上記病理組織画像解析装置１００では、表示部５０に表示される図３３に示すＧＵＩ画面において、［厚さ計測］釦５０Ａをクリックすると計測モードに入り、厚さを知りたい索の中心線をクリックすると該当する中心線９が緑色で表示され、黄色の文字で索の厚さが表示される。［病理組織画像］ウインドウ５０Ｂに表示される病理組織画像を拡大した画像を図３４に示す。
【０１６８】
次に、図３３に示すＧＵＩ画面において、［画像情報表示］ウインドウ５０Ｃでは前述した核密度や画像全体の索の厚さ、索ごとの核密度平均、索の曲率、細胞索の層数などを表示して比較検討することができる。
【０１６９】
また、図３３に示すＧＵＩ画面において、［ヒストグラム表示］ウインドウ５０Ｄでは細胞索の厚さのヒストグラムを確認することができる。
【符号の説明】
【０１７０】
１０  画像取込処理部、２０  演算処理部、３０  主記憶部、４０  入力部、５０  表示部、１００  病理組織画像解析装置、２１０  類洞領域抽出処理部、２２０  間質領域抽出処理部、２３０  細胞索抽出処理部、２４０  定量化処理部、２５０  表示制御部
【図１】
2014134517.tif 000011
【図２】
2014134517.tif 000012
【図３】
2014134517.tif 000013
【図５】
2014134517.tif 000014
【図７】
2014134517.tif 000015
【図９】
2014134517.tif 000016
【図１２】
2014134517.tif 000017
【図１９】
2014134517.tif 000018
【図４】
2014134517.tif 000019
【図６】
2014134517.tif 000020
【図８】
2014134517.tif 000021
【図１０】
2014134517.tif 000022
【図１１】
2014134517.tif 000023
【図１３】
2014134517.tif 000024
【図１４】
2014134517.tif 000025
【図１５】
2014134517.tif 000026
【図１６】
2014134517.tif 000027
【図１７】
2014134517.tif 000028
【図１８】
2014134517.tif 000029
【図２０】
2014134517.tif 000030
【図２１】
2014134517.tif 000031
【図２２】
2014134517.tif 000032
【図２３】
2014134517.tif 000033
【図２４】
2014134517.tif 000034
【図２５】
2014134517.tif 000035
【図２６】
2014134517.tif 000036
【図２７】
2014134517.tif 000037
【図２８】
2014134517.tif 000038
【図２９】
2014134517.tif 000039
【図３０】
2014134517.tif 000040
【図３１】
2014134517.tif 000041
【図３２】
2014134517.tif 000042
【図３３】
2014134517.tif 000043
【図３４】
2014134517.tif 000044
【図３５】
2014134517.tif 000045